(57)【特許請求の範囲】
【請求項１】
調理対象物を商店で購入するときにその商店にある情報書込装置によって調理情報とコンテンツ情報とを含めた入力情報を書き込んだ記録媒体と、
前記記録媒体から前記入力情報を読み込む読込手段と、
前記調理情報から調理シーケンスを演算する調理情報処理手段と、
前記コンテンツ情報を使用者に選択させる選択手段と、
前記選択手段で選択されたコンテンツ情報を加工するコンテンツ情報処理手段と、
前記コンテンツ情報処理手段により加工されたコンテンツ情報を出力する出力手段と、
を備えた調理機器において、
前記コンテンツ情報処理手段は、前記コンテンツ情報の記憶保持期間を前記調理情報に含まれる前記調理対象物の賞味期限と関連づけることを特徴とする調理機器。
【請求項２】
通信によって調理情報とコンテンツ情報とを含めた入力情報を受信する受信手段と、
前記調理情報から調理シーケンスを演算する調理情報処理手段と、
前記コンテンツ情報を使用者に選択させる選択手段と、
前記選択手段で選択されたコンテンツ情報を加工するコンテンツ情報処理手段と、
前記コンテンツ情報処理手段により加工されたコンテンツ情報を出力する出力手段と、
を備えた調理機器において、
前記コンテンツ情報処理手段は、前記コンテンツ情報の記憶保持期間を前記調理情報に含まれる調理対象物の賞味期限と関連づけることを特徴とする調理機器。
【請求項３】
前記コンテンツ情報処理手段は、前記調理情報処理手段で演算される調理シーケンスに含まれる調理時間内で前記コンテンツ情報の出力が終わるように加工することを特徴とする請求項１または２記載の調理機器。
【請求項４】
前記入力情報に含まれるサービスポイント情報の演算処理を行うサービスポイント情報処理手段を備え、
前記サービスポイント情報処理手段は、前記選択手段におけるコンテンツ情報の選択肢や前記コンテンツ情報処理手段における記憶保持期間の変更に応じて前記サービスポイントを増減させることを特徴とする請求項１または２記載の調理機器。
【請求項５】
使用者にコンテンツ要望情報やアンケート情報を入力させるアンケート入力手段と、
前記アンケート入力情報を含めた出力情報を配信センターへ出力する外部出力手段と、を
備え、
前記外部出力手段の出力情報に対して前記配信センターが出力する前記サービスポイント情報を前記入力情報に含めることを特徴とする請求項４記載の調理機器。
【請求項６】
調理対象物を商店で購入するときにその商店にある情報書込装置によって調理情報とコンテンツ情報とを含めた入力情報を記録媒体に書き込むステップと、
前記記録媒体から前記入力情報を読み込むステップと、
調理情報処理手段で前記調理情報から調理シーケンスを演算する演算ステップと、
選択手段で前記コンテンツ情報を使用者に選択させる選択ステップと、
コンテンツ情報処理手段で前記選択ステップで選択されたコンテンツ情報を加工する加工ステップと、
出力手段で前記加工ステップで加工されたコンテンツ情報を出力する出力ステップと、
を実行する調理方法において、
前記コンテンツ情報処理手段は、前記コンテンツ情報の記憶保持期間を前記調理情報に含まれる前記調理対象物の賞味期限と関連づけることを特徴とする調理方法。
【請求項７】
通信によって調理情報とコンテンツ情報とを含めた入力情報を受信する受信ステップと、
調理情報処理手段で前記調理情報から調理シーケンスを演算する演算ステップと、
選択手段で前記コンテンツ情報を使用者に選択させる選択ステップと、
コンテンツ情報処理手段で前記選択ステップで選択されたコンテンツ情報を加工する加工ステップと、
出力手段で前記加工ステップで加工されたコンテンツ情報を出力する出力ステップと、
を実行する調理方法において、
前記コンテンツ情報処理手段は、前記コンテンツ情報の記憶保持期間を前記調理情報に含まれる調理対象物の賞味期限と関連づけることを特徴とする調理方法。
【請求項８】
請求項６または７記載の調理方法をコンピュータに実行させるプログラム。
【発明の詳細な説明】
【０００１】
【発明の属する技術分野】
本発明は、調理方法、調理機器、及びそのプログラムに関し、特に、記録媒体や通信を介して入力した調理情報を用いて最適な調理方法、調理機器を提供するものである。
【０００２】
【従来の技術】
従来の調理方法、調理機器について図面を参照しながら説明する。従来、この種の調理方法として、特開平８−２７２８０８号公報に開示されているものがある。
【０００３】
図１６に示されているように、メディア媒体１６０１には、調理メニューや調理時間、調理機器の制御方法などからなる食情報をコード化して食情報コード１６０２を付加する。食情報装置１６０３は、食情報コードを入力する入力手段１６０４と、入力手段１６０４の情報を認識する認識手段１６０５と、認識手段１６０５の情報を報知する報知手段１６０６と、認識手段１６０５を操作するキースイッチ群１６０７と、食情報を記憶する記憶手段１６０８とにより構成されている。
【０００４】
メディア媒体に付加した食情報コードを入力手段１６０４によって食情報装置に入力し、メニュー情報や作り方情報などが認識手段１６０５によって認識し、報知手段１６０６によって報知することが簡単にできる。また、食情報装置１６０３から調理器具（図示しない）に食情報を伝送して調理メニューや調理時間、調理機器の制御方法に応じて調理機器を最適制御することができる。
【０００５】
【発明が解決しようとする課題】
しかしながら、前記従来の方法では、食情報を調理機器に伝送して調理メニューや調理時間、調理機器の制御方法に応じて調理機器を最適制御することができるものの、調理する者にそれを実行させることを促進するものではなかった。
【０００６】
例えば、商店で弁当を購入し自宅の電子レンジで弁当を暖めて食べることを考える。弁当の製造者や販売者は弁当に「加熱能力５００Ｗで１分」と表示したり、それをバーコードで表したシールを弁当に貼る。調理者がその表示を見て電子レンジの加熱時間を設定したり、バーコードリーダでそれを読みとって電子レンジに入力し、最適な加熱状態で弁当を食べてもらうことを期待している。
【０００７】
しかし、調理者にとっては電子レンジへ情報入力するのが面倒であり、加熱時間を設定しなくとも電子レンジが自動的に判断して調理してくれる自動暖め機能を過信するため、電子レンジの加熱時間を自分で設定したり、バーコードリーダを使って電子レンジに入力することは少ない。すなわち、製造者や販売者が食情報を与えても調理する者が有効に活用するとは言えなかった。
【０００８】
加えて、弁当に限らず調理対象物の製造者は多数の人に自社の調理対象物を継続して購入してもらうことを目的とし、調理対象物の販売者は多数の人に自分の商店で継続して購入してもらうことを目的としている。従来の方法ではこれを解決することができなかった。
【０００９】
本発明は、前記従来の課題を解決するもので、調理の情報を調理機器に入力し最適な状態で調理することを、調理する者に促進することを目的とする。また調理者が特定の製造者の調理対象物を継続して購入し、特定の販売者の商店で継続して購入し、調理情報を使用すればするほど調理者に役立つ情報を提供することを目的とする。
【００１０】
【課題を解決するための手段】
前記従来の課題を解決するために、本発明は、調理対象物を商店で購入するときにその商店にある情報書込装置によって調理情報とコンテンツ情報とを含めた入力情報を書き込んだ記録媒体と、その記録媒体から入力情報を読み込む読込手段と、調理情報から調理シーケンスを演算する調理情報処理手段と、コンテンツ情報を使用者に選択させる選択手段と、選択手段で選択されたコンテンツ情報を加工するコンテンツ情報処理手段と、コンテンツ情報処理手段により加工されたコンテンツ情報を出力する出力手段と、を備えた調理機器において、コンテンツ情報処理手段は、コンテンツ情報の記憶保持期間を調理情報に含まれる調理対象物の賞味期限と関連づけることを特徴とする調理機器を提供することで、調理対象物の賞味期限を消費者に強く意識づけるものである。
【００１１】
【発明の実施の形態】
請求項１に記載の発明は、調理対象物を商店で購入するときにその商店にある情報書込装置によって調理情報とコンテンツ情報とを含めた入力情報を書き込んだ記録媒体と、その記録媒体から入力情報を読み込む読込手段と、調理情報から調理シーケンスを演算する調理情報処理手段と、コンテンツ情報を使用者に選択させる選択手段と、選択手段で選択されたコンテンツ情報を加工するコンテンツ情報処理手段と、コンテンツ情報処理手段により加工されたコンテンツ情報を出力する出力手段と、を備えた調理機器において、コンテンツ情報処理手段は、コンテンツ情報の記憶保持期間を調理情報に含まれる調理対象物の賞味期限と関連づけたことを特徴とする調理機器である。この構成により、調理対象物の賞味期限を消費者に強く意識づけることができる。
【００１２】
請求項２記載の発明は、通信によって調理情報とコンテンツ情報とを含めた入力情報を受信する受信手段と、調理情報から調理シーケンスを演算する調理情報処理手段と、コンテンツ情報を使用者に選択させる選択手段と、選択手段で選択されたコンテンツ情報を加工するコンテンツ情報処理手段と、コンテンツ情報処理手段により加工されたコンテンツ
情報を出力する出力手段と、を備えた調理機器において、コンテンツ情報処理手段は、コンテンツ情報の記憶保持期間を調理情報に含まれる調理対象物の賞味期限と関連づけたことを特徴とする調理機器である。この構成により、調理対象物の賞味期限を消費者に強く意識づけることができる。
【００１３】
請求項３に記載の発明は、コンテンツ情報処理手段は、調理情報処理手段から演算される調理シーケンスのうちの調理時間に応じてその調理時間内でコンテンツ情報の出力が終わるよう調理前に加工する調理機器である。この構成により、調理情報を有効に活用するためのコンテンツ情報の魅力を高めることができる。
【００１４】
請求項４に記載の発明は、入力情報に含まれるサービスポイント情報の演算処理を行うサービスポイント情報処理手段を備え、サービスポイント情報処理手段は、選択手段におけるコンテンツ情報の選択肢やコンテンツ情報処理手段における記憶保持期間の変更に応じてサービスポイントを増減させることを特徴とする調理機器である。この構成により、調理情報を有効に活用するためのコンテンツ情報やサービスポイント情報の魅力を高めることができる。
【００１５】
請求項５に記載の発明は、使用者にコンテンツ要望情報やアンケート情報を入力させるアンケート入力手段と、アンケート入力情報を含めた出力情報を配信センターへ出力する外部出力手段と、を備え、外部出力手段の出力情報に対して配信センターが出力するサービスポイント情報を入力情報に含めることを特徴とする調理機器である。この構成により、調理情報やコンテンツ情報、サービスポイント情報の魅力を高めることができる。
【００１６】
請求項６に記載の発明は、調理対象物を商店で購入するときにその商店にある情報書込装置によって調理情報とコンテンツ情報とを含めた入力情報を記録媒体に書き込むステップと、その記録媒体から入力情報を読み込むステップと、調理情報処理手段で調理情報から調理シーケンスを演算する演算ステップと、選択手段でコンテンツ情報を使用者に選択させる選択ステップと、コンテンツ情報処理手段で選択ステップで選択されたコンテンツ情報を加工する加工ステップと、出力手段で加工ステップで加工されたコンテンツ情報を出力する出力ステップと、を実行する調理方法において、コンテンツ情報処理手段は、コンテンツ情報の記憶保持期間を調理情報に含まれる調理対象物の賞味期限と関連づけることを特徴とする調理方法である。この構成により、調理対象物の賞味期限を消費者に強く意識づけることができる。
【００１７】
請求項７に記載の発明は、受信手段で通信によって調理情報とコンテンツ情報とを含めた入力情報を受信する受信ステップと、調理情報処理手段で調理情報から調理シーケンスを演算する演算ステップと、選択手段でコンテンツ情報を使用者に選択させる選択ステップと、コンテンツ情報処理手段で選択ステップで選択されたコンテンツ情報を加工する加工ステップと、出力手段で加工ステップで加工されたコンテンツ情報を出力する出力ステップと、を実行する調理方法において、コンテンツ情報処理手段は、コンテンツ情報の記憶保持期間を調理情報に含まれる調理対象物の賞味期限と関連づけることを特徴とする調理方法である。この構成により、調理対象物の賞味期限を消費者に強く意識づけることができる。
【００１８】
請求項８に記載の発明は、請求項６または７に記載の調理方法をコンピュータに実行させるプログラムを提供するので、調理情報の魅力を増し、活用度を高めることができる。
【００１９】
【実施例】
以下に、本発明の実施例について、図１〜図１５を参照しながら説明する。
【００２０】
（実施例１）
図１は、本発明の実施例１における調理機器のブロック図であり、図２は、その調理機器の外観図の一例である。
【００２１】
図１に示されるように、本実施例１の調理機器１は、画像や音楽を含むコンテンツ情報と調理情報とサービスポイント情報とを記録媒体２から読み込み、コンテンツ情報とサービスポイント情報とを使用者に出力し、調理情報に基づいて調理するものである。
【００２２】
記録媒体２は半導体メモリやディスク型、テープ型等の光磁気記録メディアなどである。記録媒体２の中にプライバシー情報があれば読み書きするときに本人であることを確認する承認機能、他者に内容を見えなくする暗号化機能、著作権を備えた情報があればその内容を他者にコピーできなくする複製防止機能、重要な情報を誤って消去しないようにする書込防止機能など、記録媒体２は必要に応じてこれらの機能を有している。
【００２３】
調理機器１は、記録媒体２からコンテンツ情報と調理情報とサービスポイント情報やそれら情報の目次情報を読み込む読込手段３と、コンテンツ情報と調理情報とサービスポイント情報やそれら情報の目次情報を表示する表示手段４、表示した情報に基づいて使用者が選択情報を入力する選択手段５を備える。
【００２４】
加えて、読込手段３によって読み込み、選択手段５によって選択された情報は、コンテンツ情報を情報処理するコンテンツ情報処理手段６と、調理情報を情報処理する調理情報処理手段７と、サービスポイント情報を情報処理するサービスポイント情報処理手段８とに出力される。各々の情報処理手段の詳細は後述で説明する。
【００２５】
調理情報処理手段７から出力する調理シーケンス情報は調理機器制御手段９に入力し、調理機器制御手段９を介して加熱手段１０を制御する。またコンテンツ情報処理手段６やサービスポイント情報処理手段８から出力する「加工したコンテンツ情報」や「集計演算したサービスポイント情報」は出力手段１１に入力して使用者に知らせる。出力手段１１は例えばディスプレイモニターやスピーカー、プリンタである。また、出力手段１１に出力した情報の一部は記憶手段１２に記憶し、書込手段１３によって記録媒体２に書き込む。加えて、アンケート入力手段１４によって使用者が入力した情報や、過去に使用者が選択し出力手段１１に出力したコンテンツ情報の題目履歴であるコンテンツ履歴情報を記憶手段１２に記憶し、書込手段１３によって記録媒体２に書き込む。図２に示されるように、本実施例１の調理機器２１は、画像や音楽を含むコンテンツ情報と調理情報とサービスポイント情報と記録した記録媒体を挿入する記録媒体読取部２２と、コンテンツ情報やサービスポイント情報、調理情報の内容を使用者に見せるディスプレイモニタ２３と、コンテンツ情報の音を使用者に聞かせるスピーカー２４と、使用者が選択信号や入力信号を入力するキーボード２５を備える。
【００２６】
ここで、記録媒体読取部２１は図１の読込手段３に相当し、ディスプレイモニタ２３は表示手段４や出力手段１１に相当し、スピーカー２４は出力手段１１に相当し、キーボード２５は選択手段５やアンケート入力手段１４に相当する。なお、図示しないが、表示手段や出力手段は信号を他の機器に送信しその機器で表示したり出力しても構わない。他の機器は、例えば家庭内のオーディオ機器やビデオ機器である。また、選択手段や入力手段は調理機器本体に備えたスイッチ類やリモコンでも構わない。
【００２７】
以上のように、本発明の実施例１における調理機器は、画像や音楽を含むコンテンツ情報と調理情報とサービスポイント情報とを記録媒体から読み込み、コンテンツ情報とサービスポイント情報とを使用者に出力し、調理情報に基づいて調理する。
【００２８】
ここで、コンテンツ情報は例えば、使用者の趣味に関する情報、商品の広告に関する情報、ニュースなど時事情報などである。動画映像、静止画像、音楽のほか、テキスト情報や音声など様々な形態がある。
【００２９】
また、調理情報は使用者が調理機器を使用してこれから調理しようとする調理対象物に関する調理方法の情報や、使用者が使用する調理機器の情報である。例えば、調理対象物を特定する情報であれば冷凍食品の製造メーカー、商品名、品番などであり、他に賞味期限や製造年月日である。調理状態の情報であれば調理する個数や「加熱温度あつあつ」「ふつう」「ほどほど」などある。また、調理機器の情報は、調理機器の製造メーカー、品番など調理機器を特定する情報である。
【００３０】
サービスポイント情報は指定の商品を購入したり、指定の商店や方法で購入した時に使用者に与えられるサービスポイントの情報である。例えば、購入金額が１円につき１ポイントとする。使用者は自分が獲得したサービスポイントに応じてコンテンツ情報を選択することができる。また選択したコンテンツ情報に応じてサービスポイントが増えたり減ったりする。詳細は後で説明する。
【００３１】
以上の情報は、例えば調理対象物を商店で購入するときに、その商店にある情報書込装置で記録媒体に書き込んでもらったり、商店にある情報配信装置から公衆回線やインターネットを用いて使用者宅のパーソナルコンピュータ（以下、パソコン）に送信され、使用者がパソコンを用いて記録媒体に書き込む等、様々な方法が考えられる。
【００３２】
以下に、調理方法について説明する。
【００３３】
図３は、本発明の実施例１における調理機器１の動作を説明するためのフローチャートであり、図４、５、６は、本発明の実施例１における調理機器１の表示手段４であるディスプレイモニタに表示する表示画面を示す図である。
【００３４】
まず、調理機器の動作を開始し（ステップＳ３０１）、読込手段３によって記録媒体から調理情報・コンテンツ情報・サービスポイント情報を読み込み、表示手段４であるディスプレイモニタによって表示し、選択手段５によって使用者の要望に基づいて選択する（ステップＳ３０２）。
【００３５】
図４はこのとき、調理前に調理機器１の表示手段４に表示する画面の一例である。
【００３６】
調理情報の一つとして、購入物品リストを表示し使用者が調理を希望する調理対象物を選択させる。図中、弁当や冷凍食品でありその賞味期限を表示する。また図示しないが、弁当のあたため具合や加熱する冷凍食品の個数を入力する。また調理情報の一つとして、使用者が使用する調理機器の情報がある。調理機器の製造メーカー、品番など調理機器を特定する情報は使用者に選択させる方法でもよいし、調理機器メーカーが出荷時に調理機器内に製造メーカーと品番を記憶させておき、それと記録媒体内の情報とを照合させることで調理機器が自動的に選択する方法でもよい。
【００３７】
サービスポイント情報の一つとして、使用者が今回獲得したサービスポイントや今までのサービスポイント累計を表示する。また、次に述べるコンテンツ情報を選択する場合に必要なサービスポイントを表示する。
【００３８】
コンテンツ情報の一つとして、記録媒体に記録している画像や音楽の題目を表示し、使用者の希望するコンテンツを選択させる。各コンテンツ情報とサービスポイント情報との相関情報も記録媒体に記録されており、コンテンツに応じてサービスポイントが増えたり
減ったりする。
【００３９】
また、コンテンツ情報の記憶保持期間を示しており、これは調理対象物の賞味期限と関連づけられている。すなわち、図中で幕の内弁当の賞味期限とコンテンツ情報の記憶保持期間とを一致させ、賞味期限内に幕の内弁当を調理しなければコンテンツ情報を見ることができないものとしている。これによって、調理対象物の賞味期限を消費者に強く意識づけることができる。
【００４０】
また、図のように調理対象物が複数あれば、コンテンツ情報の記憶保持期間はその賞味期限の中で一番短いものとしている。なお、調理を済ませた調理対処物については、調理対象物リストから除外し、記憶保持期間の対象から除外する。
【００４１】
次に、調理情報処理手段７は、調理情報の中から適当な調理対象物と調理機器を決定し、調理シーケンスを演算する（ステップＳ３０３）。例えば、加熱の強弱パターンと調理時間のシーケンスである。
【００４２】
また、これと並列してコンテンツ情報処理手段６は、使用者が選択したコンテンツ情報を選択し、記憶し、加工する（ステップＳ３０４）。ここでコンテンツ情報処理手段６は、調理情報処理手段７から調理時間の情報を入力して、その調理時間内でコンテンツ情報の出力が終わるように加工する。例えば、弁当のあたため時間が３分であれば、新作映画情報やスポーツ結果の表示や今週のヒットチャートの音楽演奏が３分で終了するよう時間調整する。また、調理機器が備える出力手段１１に応じてコンテンツ情報を加工する。例えば、ディスプレイモニタのサイズを考慮した映像としたり、スピーカーサイズを考慮した音質に加工する。
【００４３】
また、これと並列してサービスポイント情報処理手段８は、使用者が選択したコンテンツ情報に対応するサービスポイント情報を選択し、演算し、記憶・表示する（ステップＳ３０５）。ここで、サービスポイント情報処理手段８は製造者別のサービスポイント情報を集計演算し、販売者別のサービスポイント情報を集計演算して記憶手段１２に記憶する。
【００４４】
次に、調理シーケンスに基づいて調理機器制御手段９で調理を開始するとともに、出力手段１１でコンテンツ情報の出力を開始する（ステップＳ３０６）。調理中は調理機器の出力手段１１にコンテンツ情報の画像が表示され音楽が流れる。
【００４５】
そして、調理が終了しコンテンツ情報の出力が終了する（ステップＳ３０７）。この後、出力手段１１によってサービスポイント情報を表示し、アンケート入力手段１４によってコンテンツ履歴情報や要望情報、アンケート情報を入力し記憶手段１２や書込手段１３を介して記録媒体２に書き込み（ステップＳ３０８）動作を終了する（ステップＳ３０９）。
【００４６】
図５はこのとき、サービスポイント情報の表示の時に調理機器の出力手段１１に表示する画面の一例である。
【００４７】
サービスポイント情報の一つとして、今まで獲得したサービスポイントやコンテンツ情報の選択によって使用したサービスポイントを表示する。また、調理対象物の製造者別に集計演算したサービスポイントと購入した商店別に集計演算したサービスポイントを表示する。
【００４８】
なお、サービスポイント情報が記録された記録媒体は一つに限らない。購入先の商店に
よって記録媒体が異なる等がある。したがって、複数の記録媒体に記録されたサービスポイント情報は調理機器１のサービスポイント処理手段８によって集計演算し、「今まで獲得したサービスポイント情報」として一つにまとめて記録媒体に書き込む。
【００４９】
コンテンツ情報の一つとして、記録媒体に記録している画像や音楽の題目を表示手段４で表示し、使用者の希望するコンテンツを選択手段５で選択させる。すでに選択済みの情報はその旨を表示する。コンテンツ情報の記憶保持期間は、未調理の調理対象物の中で賞味期限が一番短いものとしている。また、サービスポイントを使って記憶保持時間を延長することができる。例えば１週間延長するためにはサービスポイントが７ポイント必要である。
【００５０】
図６はコンテンツ要望情報やアンケート情報をアンケート入力手段１４で入力するときに調理機器１の出力手段１１に表示する画面の一例である。
【００５１】
コンテンツ要望情報の一つとして、使用者が今後望むコンテンツ情報を入力させる。またアンケート情報の一つとして、調理対象物の製造者に対する感想や要望、調理対象物を購入した商店に対する感想や要望がある。
【００５２】
また、コンテンツ履歴情報の一つとして、その使用者が過去に選択したコンテンツ情報の題目一覧や演奏回数がある。これらは使用者に表示したり入力させたりすることはないが、コンテンツ情報処理手段６内で記録される。
【００５３】
また、アンケート情報の一つとして、図示しないが、使用者の住所、氏名、連絡先の他に、性別や家族構成などがある。これらは調理機器１の記憶手段１２に記憶しておく方法や、記録媒体２に記録しておく方法がある。プライバシー情報なので、記録媒体２に記録しておく場合は、読み書きするときに本人であることを確認する承認機能、他者に内容を見えなくする暗号化機能、重要な情報を誤って消去しないようにする書込防止機能を備える。
【００５４】
以上のように生成したサービスポイント情報やコンテンツ履歴情報、コンテンツ要望情報、アンケート情報は記録媒体に書き込む。
【００５５】
次に、本発明の実施例１における情報書込装置を説明する。
【００５６】
情報書込装置とは、記録媒体に記録したサービスポイント情報やコンテンツ履歴情報、コンテンツ要望情報、アンケート情報記録を読み出し、新たなコンテンツ情報や調理情報、サービス情報を記録媒体に書き込む装置である。例えば調理対象物を商店で購入するときに、その商店に情報書込装置を置いて記録媒体に書き込むものである。
【００５７】
図７に情報書込装置７１のブロック図を示す。
【００５８】
記録媒体に書き込まれたサービスポイント情報やコンテンツ履歴情報、コンテンツ要望情報、アンケート情報を読み込む読込手段７２，読み込んだ情報を記憶する記憶手段７３、サービスポイント情報やコンテンツ履歴情報、コンテンツ要望情報、アンケート情報を集計する集計手段７４、集計した結果に基づいた新たなコンテンツ情報とサービスポイント情報と調理情報とを選択する選択手段７５、選択した情報を記録媒体に書き込む書込手段７６とを備える。
【００５９】
図８は、情報書込装置７１の動作を説明するためのフローチャートである。
【００６０】
情報書込装置７１に記録媒体を挿入して動作を開始し（ステップ８０１）、サービスポイント情報やコンテンツ履歴情報、コンテンツ要望情報、アンケート情報記録を読込手段７２で読み込み記憶手段７３で記憶する（ステップ８０２）。
【００６１】
次に読み込んだ情報を集計情報７４で集計する（ステップ８０３）。例えば、サービスポイント情報から使用者がよく購入する商品と販売店、コンテンツ履歴情報から使用者が好むコンテンツ情報の傾向、アンケート情報から使用者が重視する製造者の傾向、販売店などである。個人毎に集計し、さらに複数の使用者群で集計する。
【００６２】
これらの集計データを使って、消費者の動向分析、売れ筋商品の特定、商品の需要量、その需要時期等の情報を分析することができる。さらに詳しくは、特定の消費者の消費サイクルからその消費者が次に何をいつ購入するであろう等の情報も得られる。
【００６３】
また、各販売店で読み込んだ集計データを一カ所で集計すれば、各販売店ごとにまちまちであった特定の商品の売れ行きを総合し、その特定商品の全体的な売れ行きを把握でき、売れ筋商品の推移から、流行しそうな新商品の予測や、既存の商品の生産管理等、販売者・製造者にとって極めて有用な情報を得ることができる。
【００６４】
そして集計結果に基づいて新たなコンテンツ情報を選択手段７５で選択し、そのときに購入した調理対象物の調理情報、購入することで獲得したサービスポイント情報を入力する（ステップＳ８０４）。コンテンツ情報・調理情報・サービスポイント情報を書込手段７６で記録媒体に書き込み（ステップＳ８０５）、情報書込装置の動作を終了する（ステップ８０６）。
【００６５】
次に調理機器の詳細について説明する。
【００６６】
図９は、調理情報処理手段を説明するブロック図である。
【００６７】
調理情報処理手段９１は、調理対象物の情報である調理情報を入力して調理対象物を決定する調理対象物決定手段９２、調理機器の情報である調理情報を入力して調理機器を決定し、調理機器が備える出力手段の情報である調理機器情報を出力する調理機器決定手段９３、調理対象物決定手段９２と調理機器決定手段９３との出力から調理シーケンスを演算し調理時間の情報を出力する調理シーケンス演算決手段９４、調理シーケンスを記憶して出力する調理シーケンス記憶手段９５とを備える。
【００６８】
次にサービスポイント情報処理手段について説明する。
【００６９】
図１０は、サービスポイント情報処理手段を説明するブロック図である。
【００７０】
サービスポイント情報処理手段１０１は、獲得したサービスポイント情報と、使用者が選択したコンテンツやそのコンテンツの記憶保持期間の関するサービスポイント情報とを入力して、使用したサービスポイント情報や未使用のサービスポイント情報を集計演算するサービスポイント集計手段１０２と、集計演算したサービスポイント情報を製造者別に記憶する製造者別記憶手段１０３と、集計演算したサービスポイント情報を販売者別に記憶する販売者別記憶手段１０４とを備える。
【００７１】
次にコンテンツ情報処理手段について説明する。
【００７２】
図１１は、コンテンツ情報処理手段を説明するブロック図である。コンテンツ情報処理手段１１１は、記憶保持期間の情報を入力して記憶保持期間を計時する時計手段１１２と
、コンテンツ情報を記憶して記憶保持期間を過ぎたときにコンテンツ情報を消去するコンテンツ情報記憶手段１１３と、使用者の選択情報を入力してコンテンツ情報を選択するコンテンツ情報選択手段１１４と、調理時間の情報や調理機器の情報に基づいてコンテンツ情報を加工するコンテンツ情報加工手段１１５とを備える。また、選択したコンテンツ情報の題目を記憶しコンテンツ履歴情報を出力するコンテンツ履歴情報記憶手段１１６、コンテンツ要望情報入力手段１１７から入力される、使用者の要望するコンテンツ情報の題目を記憶しコンテンツ要望情報を出力するコンテンツ要望情報記憶手段１１８とを備える。
【００７３】
以上のように、本発明によれば、記録媒体に記録した調理情報とコンテンツ情報とサービスポイント情報とを融合した調理方法と調理機器とを提供するので調理情報の魅力を増し活用度を高めることができるという効果がある。
【００７４】
すなわち、調理情報やサービスポイント情報に応じて最適なコンテンツ情報とその記憶保持期間を使用者に提供し、調理時間に応じてコンテンツ情報を最適な出力時間で使用者に提供し、また、コンテンツ情報やその記憶保持期間に応じてサービスポイント情報が増減するので、調理情報を有効に活用するためのコンテンツ情報やサービスポイント情報の魅力を高めることができる。
【００７５】
そして、調理情報には、調理対象物の情報と調理方法の情報と調理機器の情報を備えるので、調理対象物に最適な調理を提供し調理情報の活用度を高めることができる。
【００７６】
また、コンテンツ情報には、時事情報や広告情報を含み、過去に出力したコンテンツ情報に関するコンテンツ履歴情報と、使用者が要望するコンテンツ情報に関するコンテンツ要望情報とを記憶し、記録媒体に書き込んだり通信によって所定の相手に伝えるので、製造者や販売者は貴重な情報を収集することができ、サービスポイント情報の魅力をさらに高めて使用者に提供することができる。
【００７７】
また、サービスポイントは、調理対象物の製造者別、販売者別に集計演算し、記録媒体に書き込んだり通信によって所定の相手に伝えるので、製造者や販売者は貴重な情報を収集することができ、サービスポイント情報の魅力をさらに高めて使用者に提供することができる。同様に、使用者から入力されたアンケート情報を記録媒体に書き込む、または通信によって所定の相手に伝えるので製造者や販売者は貴重な情報を収集することができ、サービスポイント情報の魅力をさらに高めて使用者に提供することができる。
【００７８】
以上のように、記録媒体に記録した調理情報とコンテンツ情報とサービスポイント情報とを融合した調理方法と調理機器とを提供するので調理情報の魅力を増し活用度を高めることができるものである。
【００７９】
（実施例２）
図１２は本発明の実施例２の調理機器の動作を説明するためのフローチャートである。調理機器のブロック図は図１、図７、図９〜１１と同じなので省略する。
【００８０】
実施例１と異なる点は、調理情報処理手段の処理とコンテンツ情報処理手段の処理とサービスポイント情報処理手段の処理とを順次行うこと、そしてコンテンツ情報の題目一覧情報を取り扱うことである。
【００８１】
図１２に示すように、調理機器の動作開始（ステップＳ１２０１）後、読込手段３、表示手段４、選択手段５によって、サービスポイント情報の読込・表示・選択を行い（ステップＳ１２０２）、コンテンツ情報の題目一覧情報の読込・表示・選択を行い（ステップ
Ｓ１２０３）、調理情報の読込・表示・選択と調理対象物と調理機器の決定、および調理シーケンスの演算を調理情報処理手段７で行う（ステップＳ１２０４）。選択されたコンテンツ情報を記録媒体から読込・記憶・加工する（ステップ１２０５）。
【００８２】
以下は図３と同じで、調理開始・コンテンツ情報の出力開始（ステップＳ１２０６）、調理終了・コンテンツ情報の出力終了（ステップＳ１２０７）、サービスポイント情報・コンテンツ履歴情報・アンケート情報の表示・入力・書込をして（ステップ１２０８）、調理機器の動作を終了する（ステップＳ１２０９）。
【００８３】
このようにコンテンツ情報の題目一覧を用いることで、コンテンツ情報と調理情報とサービスポイント情報の概要を迅速に表示し必要な情報のみを読み込むことができる。全ての情報を記録媒体から読み込む場合に比べ読込時間を短縮することができる。
【００８４】
また、調理情報処理手段の処理とコンテンツ情報処理手段の処理とサービスポイント情報処理手段の処理とを順次行う順序は、本実施例に限るものでなくおのおのの情報の内容に応じて適当に入れ替えてもよい。
【００８５】
（実施例３）
図１３は本発明の実施例３の調理機器のブロック図であり、図１４は調理機器の動作を説明するためのフローチャートである。
【００８６】
実施例１、２と異なる点は、配信センター装置１３０２を設け、調理機器と通信することによってリアルタイムに情報のやりとりができることである。配信センター装置１３０２は、サービスポイント情報やコンテンツ履歴情報、コンテンツ要望情報、アンケート情報記録を通信によって受信し、新たなコンテンツ情報や調理情報、サービス情報を調理機器１３０１に送信する装置である。
【００８７】
例えば調理対象物を商店や通信販売で購入するときに、商店や販売者の配信センター装置１３０２から公衆回線やインターネットを用いて使用者宅の調理機器１３０１に送信するものである。配信センター装置１３０２と調理機器１３０１とを接続して通信する方法は、電話やＩＳＤＮのように公衆回線や、専用回線、電灯線、赤外線、無線電波等を用いればよい。
【００８８】
調理機器１３０１は、配信センター装置１３０２から送信されるコンテンツ情報と調理情報とサービスポイント情報やそれら情報の目次情報を受信する受信手段１３０３と、コンテンツ情報と調理情報とサービスポイント情報やそれら情報の目次情報を表示する表示手段１３０４、表示した情報に基づいて使用者が選択情報を入力する選択手段１３０５を備える。
【００８９】
加えて、受信手段１３０３によって受信し、選択手段１３０５によって選択された情報は、コンテンツ情報を情報処理するコンテンツ情報処理手段１３０６と、調理情報を情報処理する調理情報処理手段１３０７と、サービスポイント情報を情報処理するサービスポイント情報処理手段１３０８とに出力される。
【００９０】
調理情報処理手段１３０７から出力する調理シーケンス情報は調理機器制御手段１３０９に入力し、調理機器制御手段１３０９を介して加熱手段１３０１０を制御する。またコンテンツ情報処理手段１３０６やサービスポイント情報処理手段１３０８から出力する「加工したコンテンツ情報」や「集計演算したサービスポイント情報」は出力手段１３１１に入力して使用者に知らせる。出力手段１３１１は例えばディスプレイモニターやスピーカー、プリンタである。また、出力手段１３１１に出力した情報は記憶手段１３１２に記
憶し、送信手段１３１３によって配信センター装置１３０２に送信する。加えて、アンケート入力手段１３１４によって使用者が入力した情報や、過去に使用者が選択し出力手段１３１１に出力したコンテンツ情報の題目履歴であるコンテンツ履歴情報を記憶手段１３１２に記憶し、送信手段１３１３によって配信センター装置１３０２に書き込む。
【００９１】
配信センター装置１３０２は、調理機器１３０１から受信したサービスポイント情報やコンテンツ履歴情報、コンテンツ要望情報、アンケート情報を受信する受信手段１３１５，受信した情報を記憶する記憶手段１３１６、サービスポイント情報やコンテンツ履歴情報、コンテンツ要望情報、アンケート情報を集計する集計手段１３１７、集計した結果に基づいた新たなコンテンツ情報と、サービスポイント情報と調理情報とを選択する選択手段１３１８、選択した情報を調理機器１に送信する送信手段１３１９とを備える。
【００９２】
各々の情報処理手段の詳細は図９、１０、１１と同じなので説明を省略する。
【００９３】
図１４に示すように、調理機器は動作開始（ステップＳ１４０１）後、受信手段１３０３、表示手段１３０４、選択手段１３０５によって、サービスポイント情報の受信・表示・選択を行い（ステップＳ１４０２）、コンテンツ情報の題目一覧情報の受信・表示・選択を行い（ステップＳ１４０３）、調理情報の受信・表示・選択と調理対象物と調理機器の決定、および調理シーケンスの演算を調理情報処理手段７で行う（ステップＳ１４０４）。選択されたコンテンツ情報を配信センター装置から受信・記憶・加工する（ステップ１４０５）。
【００９４】
調理開始・コンテンツ情報の出力開始し（ステップＳ１４０６）、調理終了・コンテンツ情報の出力終了する（ステップＳ１４０７）。その後、サービスポイント情報・コンテンツ履歴情報・アンケート情報の表示・入力し配信センター装置へ送信手段１３１３で送信をして（ステップ１４０８）、調理機器の動作を終了する（ステップＳ１４０９）。
【００９５】
また図１５は、配信センター装置の動作を説明するためのフローチャートである。
【００９６】
通信回線やインターネットを介して調理機器と接続して動作を開始し（ステップ１５０１）、サービスポイント情報やコンテンツ履歴情報、コンテンツ要望情報、アンケート情報記録を調理機器から受信手段１３１５によって受信し記憶手段１３１６に記憶する（ステップ１５０２）。
【００９７】
次に受信した情報を集計手段１３１７で集計する（ステップ１５０３）。例えば、使用者の選択し好むコンテンツ情報の傾向や、サービスポイントに応じて選択可能なコンテンツ情報の種類、使用者が調理対象物を購入する製造者の傾向、販売店の傾向などである。
【００９８】
そして集計結果に基づいて新たなコンテンツ情報を選択手段１３１８で選択し、そのときに購入した調理対象物の調理情報、購入することで獲得したサービスポイント情報を入力する（ステップＳ１５０４）。コンテンツ情報・調理情報・サービスポイント情報を調理機器に送信手段１３１９で送信し（ステップＳ１５０５）、配信センター装置の動作を終了する（ステップ１５０６）。
【００９９】
なお、アンケート情報の一つとして、使用者の住所、氏名、連絡先の他に、性別や家族構成などがある。プライバシー情報なので、調理機器と配信センター装置とで通信する場合は、通信相手が本人であることを確認する承認機能、他者に内容を見えなくする暗号化機能を備える。
【０１００】
以上のように、本発明によれば、通信によって受信した調理情報とコンテンツ情報とサ
ービスポイント情報とを融合した調理方法・調理機器を提供するので調理情報の魅力を増し活用度を高めることができるという効果がある。
【０１０１】
なお、上記実施例の調理方法・調理機器を実現するプログラムやそれを記録した情報記録媒体を調理機器に供給し、調理機器がこのプログラムを実行するようにしてもよい。
【０１０２】
なお、本実施例では調理と同時にコンテンツ情報を出力するものとして説明したが、これに限るものではなくコンテンツ情報の記憶保存期間中であればいつでも出力できるものである。
【０１０３】
また、本実施例では調理機器の一例として電子レンジで説明したが、購入した調理対象物に対して最適な調理情報が提供される調理機器であればよい。例えば、米の炊飯方法を調理情報とした炊飯器であり、コーヒー豆の種類を調理情報としたコーヒーメーカーであり、焼く方法や煮る方法を調理情報としたガステーブル、電磁調理器などである。
【０１０４】
【発明の効果】
このように、本発明の調理方法、調理機器、及びそのプログラムによれば、コンテンツ情報の記憶保持期間を調理情報に含まれる調理対象物の賞味期限と関連づけることで、調理対象物の賞味期限を消費者に強く意識づけることができる。
【図面の簡単な説明】
【図１】  本発明の実施例１、２における調理機器のブロック図
【図２】  同調理機器の外観図
【図３】  本発明の実施例１における調理機器の動作を示すフローチャート
【図４】  同調理機器の表示画面を示す図
【図５】  同調理機器の表示画面を示す図
【図６】  同調理機器の表示画面を示す図
【図７】  同情報書込装置のブロック図
【図８】  同情報書込装置の動作を示すフローチャート
【図９】  同調理情報処理手段のブロック図
【図１０】  同サービスポイント情報処理手段のブロック図
【図１１】  同コンテンツ情報処理手段のブロック図
【図１２】  本発明の実施例２における調理機器の動作を示すフローチャート
【図１３】  本発明の実施例３における調理機器と配信センター装置のブロック図
【図１４】  同調理機器の動作を示すフローチャート
【図１５】  同配信センター装置の動作を示すフローチャート
【図１６】  従来の調理機器のブロック図
【符号の説明】
１、１３０１  調理機器
２  記録媒体
３  読込手段
６、１３０６  コンテンツ情報処理手段
７、９１、１３０７  調理情報処理手段
８、１０１、１３０８  サービスポイント情報処理手段
９、１１１、１３０９  調理機器制御手段
１０、１３１０  加熱手段
１１、１３１１  出力手段
１２、１３１２  記憶手段
１３  書込手段
１４、１３１４  アンケート入力手段
９２  調理対象物決定手段
９３  調理機器決定手段
９４  調理シーケンス演算手段
１０２  サービスポイント集計手段
１０３  製造者別記憶手段
１０４  販売者別記憶手段
１１３  コンテンツ情報記憶手段
１１４  コンテンツ情報選択手段
１１５  コンテンツ情報加工手段
１１６  コンテンツ履歴情報記憶手段
１１７  コンテンツ要望情報記憶手段
１３０３  受信手段
１３１３  送信手段
【図１】
0004572483.tif 000002
【図２】
0004572483.tif 000003
【図３】
0004572483.tif 000004
【図４】
0004572483.tif 000005
【図５】
0004572483.tif 000006
【図６】
0004572483.tif 000007
【図７】
0004572483.tif 000008
【図８】
0004572483.tif 000009
【図９】
0004572483.tif 000010
【図１０】
0004572483.tif 000011
【図１１】
0004572483.tif 000012
【図１２】
0004572483.tif 000013
【図１３】
0004572483.tif 000014
【図１４】
0004572483.tif 000015
【図１５】
0004572483.tif 000016
【図１６】
0004572483.tif 000017